【事件の表示】
　特願２００７−３００１９２「液体噴射ヘッド、及び液体噴射装置」拒絶査定不服審判事件〔平成２１年　６月１１日出願公開、特開２００９−１２５９７０〕について、次のとおり審決する。
【結　論】
　本件審判の請求は、成り立たない。
【理　由】
１　手続の経緯
　本願は、平成１９年１１月２０日に出願したものであって、平成２１年１１月６日付けで手続補正がなされ、平成２２年２月１２日付けで拒絶査定がなされ、これに対し、同年５月１４日付けで拒絶査定に対する審判請求がなされたものである。
　
２　本願発明
　本願請求項１ないし６に係る発明は、平成２１年１１月６日付け手続補正後の特許請求の範囲、明細書及び図面の記載からみて、特許請求の範囲の請求項１ないし６に記載された事項により特定されるとおりのものであり、その請求項１に係る発明（以下「本願発明」という。）は、以下のとおりである。
　
「液体を加圧してノズルから当該液体を噴射する液体噴射ヘッドであって、
　前記ノズルの開口が直線上に複数並んだノズル列が２つ設けられたノズル開口面と、前記ノズル開口面の端部において、当該ノズル開口面に対して交差し、且つ前記ノズル列の各々と向きが揃えられた第１の振動板、及び第２の振動板と、
　前記ノズルに連通し、前記液体を収容する第１の圧力室、及び第２の圧力室と、
を含み、
　前記第１の振動板には前記第１の圧力室が接し、
　前記第２の振動板には前記第２の圧力室が接し、
　前記第１の圧力室における液体は第１の加圧手段により加圧され、
　前記第２の圧力室における液体は第２の加圧手段により加圧され、
　前記第１の圧力室における前記液体の流れ方向は、前記第１の振動板と揃う方向であり、前記第２の圧力室における前記液体の流れ方向は前記第２の振動板と揃う方向であり、
　前記第１の振動板に交差する方向から見たとき、前記第１の加圧手段と前記第２の加圧手段とは異なる位置に配置されていることを特徴とする液体噴射ヘッド。」
　
３　引用刊行物
　原査定の拒絶の理由に引用され、本願の出願前に頒布された特開平５−３３８１５７号公報（以下「刊行物１」という。）には、以下の記載が図とともにある（下線は審決で付した。）。
　ア　【００３２】次に、本発明の第５の実施例を図１１を用いて説明する。これは、第１、第２、第３、第４の実施例を多ノズル化を目的として、両面流路形成基板に適用したものである。
【００３３】基本的に片側（図に於いて、上方あるいは下方）の構成は、前記の第１、第２、第３、第４の実施例のいずれかと同様であり、
インク流路形成部４Ｂの両面にインク流路２を複数形成し、それぞれのインク流路２に対応してノズル１が連通している
流路基板４Ｂの表裏
の基準面４Ａどうしを平行に設定し、双方の吐出インク滴は平行で、双方の基準面４Ａに対しても平行
に飛翔させる
【００３４】この構成は、ノズル１のテーパ角が５度以下であることにより、吐出インク滴の吐出特性の確保と、飛行安定性の向上が両立できる。又、両面のそれぞれノズル１の中心軸が双方の基準面４Ａに対して平行に配されているため、双方のノズル１から吐出されるインク滴は平行で、且つ、双方の基準面４Ａに対しても平行に飛翔でき、被印字媒体に対する垂直で、並列なインク飛行を安価で、且つ高い信頼性で実現できる。そのため、トラブル時にも、印字品質が劣化しない高信頼性
インクジェットヘッド
【００３５】図１２、図１３は両面に対応したヘッドのノズル配列に関する実施例である。図１２は
インク流路形成部４Ｂの両面に形成されるそれぞれのノズル列１Ｃ、１Ｄがそれぞれ同一ピッチで、印字高さ方向（図中の上下方向）に半ピッチずらした例
　イ　【００３７】以上の本発明の実施例全てに渡って、
インク流路２に圧力変動を発生させる能動素子
天蓋６をたわませる圧電素子
天蓋６上で、インク流路２外に設置
を用いる
　ウ　【図１１】から、流路基板４Ｂの表裏の基準面４Ａそれぞれに沿って、天蓋６が表裏にそれぞれ配置され、ノズル前面５の端部において、当該ノズル前面５に対して交差していることが看取できる。
　エ　【図１２】及び上記段落【００３５】の記載から、ノズル前面５にノズル１の開口が基準面４Ａに沿った直線上に同一ピッチで複数並んだノズル列１Ｃ、１Ｄが半ピッチずらして２列設けられていることが看取できる。
　オ　【図１２】から、インク流路２は、ノズル１が開口されたノズル前面５から直交する方向に延びていることが看取できる。
　
　上記記載及び図面を含む刊行物１全体の記載から、刊行物１には、以下の発明が記載されていると認められる。
「インク流路形成部４Ｂの両面にインク流路２を複数形成し、それぞれのインク流路２に対応してノズル１を連通させ、前記インク流路２は、ノズル１が開口されたノズル前面５から直交する方向に延びており、
　ノズル前面５にノズル１の開口が基準面４Ａに沿った直線上に同一ピッチで複数並んだノズル列１Ｃ、１Ｄを半ピッチずらして２列設け、
　流路基板４Ｂの表裏の基準面４Ａどうしを平行に設定し、双方の吐出インク滴は平行で、双方の基準面４Ａに対しても平行に飛翔させるインクジェットヘッドであって、
　流路基板４Ｂの表裏の基準面４Ａそれぞれに沿い、ノズル前面５の端部において、当該ノズル前面５に対して交差するように天蓋６を表裏にそれぞれ配置し、
　インク流路２に圧力変動を発生させる能動素子として、天蓋６をたわませる圧電素子を天蓋６上で、インク流路２外に設置した
　インクジェットヘッド。」（以下「引用発明」という。）
　
４　対比
　ａ　本願発明と引用発明とを比較すると、引用発明の「インク」、「ノズル１」、「インクジェットヘッド」、「ノズル列１Ｃ、１Ｄ」、「ノズル前面５」、「『表裏にそれぞれ配置』され『圧電素子』でたわまされる『天蓋６』」、「『インク流路形成部４Ｂの両面に』形成され『天蓋６上』に『圧電素子』が『設置』された『インク流路２』」及び「圧電素子」は、それぞれ本願発明の「液体」、「ノズル」、「液体噴射ヘッド」、「『２つ』の『ノズル列』」、「ノズル開口面」、「第１の振動板、及び第２の振動板」、「第１の圧力室、及び第２の圧力室」及び「加圧手段」に相当する。
　ｂ　引用発明の「インクジェットヘッド」は「天蓋６をたわませる圧電素子を天蓋６上で、インク流路２外に設置した」ものであるから、液体を加圧してノズルから当該液体を噴射する液体噴射ヘッドといえる。
　ｃ　引用発明の「インクジェットヘッド」は「ノズル前面５にノズル１の開口が直線上に同一ピッチで複数並んだノズル列１Ｃ、１Ｄを半ピッチずらして２列設け」たものであり、「流路基板４Ｂの表裏の基準面４Ａそれぞれに沿い、ノズル前面５の端部において、当該ノズル前面５に対して交差するように天蓋６を表裏にそれぞれ配置」したものであるから、ノズルの開口が直線上に複数並んだノズル列が２つ設けられたノズル開口面と、前記ノズル開口面の端部において、当該ノズル開口面に対して交差する第１の振動板、及び第２の振動板を含むものといえる。
　ｄ　引用発明の「インクジェットヘッド」は「ノズル前面５にノズル１の開口が基準面４Ａに沿った直線上に同一ピッチで複数並んだノズル列１Ｃ、１Ｄ」が設けられ、「流路基板４Ｂの表裏の基準面４Ａそれぞれに沿い」「天蓋６を表裏にそれぞれ配置し」たものであるから、ノズル列の各々と向きが揃えられた第１の振動板、及び第２の振動板を含むものといえる。
　ｅ　引用発明は「インク流路形成部４Ｂの両面にインク流路２を複数形成し、それぞれのインク流路２に対応してノズル１を連通させ」「インク流路２に圧力変動を発生させる能動素子として、天蓋６をたわませる圧電素子を天蓋６上で、インク流路２外に設置し」ているから、ノズルに連通し、液体を収容する第１の圧力室、及び第２の圧力室を含んでいるものといえる。
　ｆ　引用発明の「天蓋６」（第１の振動板、及び第２の振動板）は「流路基板４Ｂの表裏の基準面４Ａそれぞれに沿い」「表裏にそれぞれ配置」されているから、振動板と圧力室が接することは当業者に自明であり、上記ａから、引用発明は「第１の振動板、及び第２の振動板」を有し、「第１の圧力室、及び第２の圧力室」を有しているから、一方の「天蓋６」を「第１の振動板」と称すると、「第１の振動板」に接する「天蓋６上」に「圧電素子」が「設置」された「インク流路２」が本願発明の「第１の圧力室」に相当し、他方の「天蓋６」である「第２の振動板」に接する「天蓋６上」に「圧電素子」が「設置」された「インク流路２」が本願発明の「第２の圧力室」に相当する。
　そうすると、引用発明は、第１の振動板には第１の圧力室が接し、第２の振動板には第２の圧力室が接するものといえる。
　ｇ　上記ｆから、引用発明の「第１の圧力室」に対応する「圧電素子」（加圧手段）が本願発明の「第１の加圧手段」に相当し、引用発明の「第２の圧力室」に対応する「圧電素子」（加圧手段）が本願発明の「第２の加圧手段」に相当する。
　そうすると、引用発明は、第１の圧力室における液体は第１の加圧手段により加圧され、第２の圧力室における液体は第２の加圧手段により加圧されるものといえる。
　ｈ　上記ｆ及び引用発明の「インク流路２」は「ノズル１が開口されたノズル前面５から直交する方向に延びて」いることから、引用発明は、第１の圧力室における液体の流れ方向は、第１の振動板と揃う方向であり、第２の圧力室における液体の流れ方向は第２の振動板と揃う方向であるものといえる。
　ｉ　引用発明は「ノズル前面５にノズル１の開口が基準面４Ａに沿った直線上に同一ピッチで複数並んだノズル列１Ｃ、１Ｄを半ピッチずらして２列設け」たものであり、「インク流路２は、ノズル１が開口されたノズル前面５から直交する方向に延びて」いるから、インク流路形成部４Ｂの両面に形成された「インク流路２」は、ノズル列１Ｃ、１Ｄが半ピッチずれているのと同様、互いに半ピッチずれていることが当業者に自明であり、各「天蓋６」上で「インク流路２」の外に設置される「圧電素子」（加圧手段）も同様に互いに半ピッチずれていることが明らかである。
　そうすると、引用発明は、第１の振動板に交差する方向から見たとき、第１の加圧手段と第２の加圧手段とは異なる位置に配置されているものといえる。
　ｊ　上記ａないしｉから、本願発明と引用発明は、
「液体を加圧してノズルから当該液体を噴射する液体噴射ヘッドであって、
　前記ノズルの開口が直線上に複数並んだノズル列が２つ設けられたノズル開口面と、前記ノズル開口面の端部において、当該ノズル開口面に対して交差し、且つ前記ノズル列の各々と向きが揃えられた第１の振動板、及び第２の振動板と、
　前記ノズルに連通し、前記液体を収容する第１の圧力室、及び第２の圧力室と、
を含み、
　前記第１の振動板には前記第１の圧力室が接し、
　前記第２の振動板には前記第２の圧力室が接し、
　前記第１の圧力室における液体は第１の加圧手段により加圧され、
　前記第２の圧力室における液体は第２の加圧手段により加圧され、
　前記第１の圧力室における前記液体の流れ方向は、前記第１の振動板と揃う方向であり、前記第２の圧力室における前記液体の流れ方向は前記第２の振動板と揃う方向であり、
　前記第１の振動板に交差する方向から見たとき、前記第１の加圧手段と前記第２の加圧手段とは異なる位置に配置されていることを液体噴射ヘッド。」
の点で一致し、相違する点はない。
　
５　むすび
　以上のとおり、本願発明は、刊行物１に記載された発明であり、特許法第２９条第１項第３号に該当し、特許を受けることができないから、他の請求項に係る発明を検討するまでもなく、本願は、拒絶されるべきものである。
　よって、結論のとおり審決する。